(57)【要約】【課題】商店等において各種商品の名称、価格、原産地等の商品情報を多様且つ見え易く表示するため、連結構造による表示具にすると共に、特に低位置に掲示する場合の視認性の低下を解消するようにした連結表示具を提供する。【解決手段】商品の名称、価格、原産地等の各種の商品情報を表示する複数の商品表示器２a、２b…をアダプタ３を介して互いに連結した連結表示具であって、前記商品表示器の連結面１２と前記アダプタ３の連結面１３とには一対の係止構造が形成されると共に、前記アダプタ３の上端面３aと下端面３bとが互いに傾斜角を有することによって該アダプタ３を介して２連、３連又はそれ以上に連結された商品表示器が互いに勾配を成して連結され、該アダプタ３を介さずに商品表示器同士を連結した場合には双方の商品表示器が互いに勾配を成さずに連結されることを特徴とする。【選択図】図１
2005114945.tif 000002
【特許請求の範囲】
【請求項１】
商品の名称、価格、原産地等の各種の商品情報を表示する複数の商品表示器をアダプタを介して互いに連結した連結表示具であって、前記商品表示器の連結面と前記アダプタの連結面とには一対の係止構造が形成されると共に、前記アダプタの上端面と下端面とが互いに傾斜角を有することによって該アダプタを介して２連、３連又はそれ以上に連結された商品表示器が互いに勾配を成して連結され、該アダプタを介さずに商品表示器同士を連結した場合には双方の商品表示器が互いに勾配を成さずに連結されることを特徴とする連結表示具。
【請求項２】
前記商品表示器と前記アダプタとの互いの連結面に夫々同様の離間幅を有して形成された少なくとも２個の係止穴と夫々の係止穴に係止される係止突起が形成されてなり、前記係止穴は拡径部と縮径部とを連続形成してなる一方、前記係止突起は前記係止穴の拡径部を通過するが縮径部で係止される拡径頭部を有し、少なくとも２個の係止穴のうち一方の係止穴に弾性を有する突起部が形成されたことによって前記係止突起を前記係止穴に係止したときのストッパとしたことを特徴とする請求項１記載の連結表示具。
【請求項３】
前記アダプタの傾斜角が異なる多種類のアダプタが形成されたことによって、該アダプタの交換によって前記連結された商品表示器の互いの勾配角を変えるようにしたことを特徴とする請求項１又は２記載の連結表示具。
【発明の詳細な説明】
【技術分野】
【０００１】
本発明は、商店等において各種商品の名称、価格、原産地等を表示する複数の商品表示器を連結することによって商品情報を多様に表示するようにした連結表示具に関する。
【背景技術】
【０００２】
商店等においては各種商品の名称や価格等を表示することによって、購入者に商品についての種々の案内を行なうようにしている。特に、商品が野菜や果物や肉類や魚貝類等である場合、商品表示器に原産地を表示することがあり、それに適する各種の商品表示器が開発されている。
【０００３】
そのような従来の商品表示器の例としては、下記のように特許文献１又は特許文献２に記載されたものがある。
【０００４】
特許文献１に記載された価格表示器５０は、図９(a)、(b)に示すように、フロトパネル５１に商品名を表示するためのカード収納部５２と価格を表示するための複数個の価格表示窓５３、５３…とを備え、このような構成により商品名と価格とを表示することができるようにしている。
【０００５】
なお、この表示具５０において、カード収納部５２の周囲には商品名を記入したカード５４を係止する係止辺５５が形成され、また夫々の価格表示窓５３には後部のケース本体５７内に内蔵されたラチェット歯車（不図示）によって回転する複数個の価格表示片５６が設けられ、この価格表示片５６を回転することによって表記された数値を選択して所定の価格を表示することができる。
【０００６】
また、特許文献２に記載された発明は、図１０に示すように、前面パネル６１の上部に設けられたカード収納部６２と、その下部に設けられた複数個の価格表示窓６３、６３…とを備え、前面パネル６１の下部片側に原産地表示窓６４が形成され、この原産地表示窓６４に原産地表示カード６５を挿着するように構成されている。さらに、前面パネル６１の側部に着脱自在に固設された補助表示具６６の上下部には商品情報カード６７を挿入する商品情報表示窓６８、６８が設けられている。
【０００７】
このような補助表示具付き価格表示器６０によれば、前面パネル６１のカード収納部６２に商品の名称を表示し、価格表示窓６３に価格を表示し、さらに原産地表示窓６５に原産地を表示する一方、商品情報表示窓６８に商品情報カード６７を挿入することにより、客は商品名や価格表示のほかに他の商品情報を得ることができる。
【特許文献１】特開平７−３６３９４号公報（第２頁、図１、２）
【特許文献２】特開２００２−６２８２７号公報（第４、５頁、図６）
【発明の開示】
【発明が解決しようとする課題】
【０００８】
ところで、商品名と価格表示を行う場合には、上記の特許文献１による構成でよいが、商品名と価格表示以外に原産地等の表示を行うには、そのための表示窓が不足することになる。これに対して、特許文献２の表示器では商品名と価格表示以外に原産地を表示することが可能であるが、１個の表示器のなかに種々の表示を行う構成としてあるため、夫々の表示窓のスペースが小さくなるという欠点がある。
【０００９】
また、特許文献２の表示器の場合、原産地の表示やその他の表示が必要な場合には適するが、原産地の表示やその他の表示が不要な場合、その表示窓が空欄になり、そのような空欄を残したままで商店等に表示するのでは見栄えがよくないという欠点がある。
【００１０】
上記の欠点を解消するために、本発明者等は、１個の表示器のなかに形成する表示窓を広く形成し、このような表示器を上下方向に連結することによって商品情報を見えやすくした連結構造の表示具を開発したが、このような表示具は、特に、低位置に掲示する場合に視認性が低下するという欠点がある。
【００１１】
そこで、本発明は、上記の問題点を解消するために、商店等において各種商品の名称、価格、原産地等の商品情報を多様且つ見え易く表示するため、連結構造による表示具にすると共に、特に低位置に掲示する場合の視認性の低下を解消するようにした連結表示具を提供することを目的とする。
【課題を解決するための手段】
【００１２】
上記の目的を達成するために、本発明の請求項１は、商品の名称、価格、原産地等の各種の商品情報を表示する複数の商品表示器をアダプタを介して互いに連結した連結表示具であって、前記商品表示器の連結面と前記アダプタの連結面とには一対の係止構造が形成されると共に、前記アダプタの上端面と下端面とが互いに傾斜角を有することによって該アダプタを介して２連、３連又はそれ以上に連結された商品表示器が互いに勾配を成して連結され、該アダプタを介さずに商品表示器同士を連結した場合には双方の商品表示器が互いに勾配を成さずに連結されることを特徴とする。
【００１３】
また、本発明の請求項２は、請求項１において、前記商品表示器と前記アダプタとの互いの連結面に夫々同様の離間幅を有して形成された少なくとも２個の係止穴と夫々の係止穴に係止される係止突起が形成されてなり、前記係止穴は拡径部と縮径部とを連続形成してなる一方、前記係止突起は前記係止穴の拡径部を通過するが縮径部で係止される拡径頭部を有し、少なくとも２個の係止穴のうち一方の係止穴に弾性を有する突起部が形成されたことによって前記係止突起を前記係止穴に係止したときのストッパとしたことを特徴とする。
【００１４】
また、本発明の請求項３は、請求項１又は２において、前記アダプタの傾斜角が異なる多種類のアダプタが形成されたことによって、該アダプタの交換によって前記連結された商品表示器の互いの勾配角を変えるようにしたことを特徴とする。
【発明の効果】
【００１５】
以上のように構成された発明によれば、複数の商品表示器をアダプタを介して互いに連結可能とした構造により、該アダプタを介して個々の商品表示器を２連、３連又はそれ以上に連結することができ、さらに連結された複数の商品表示器が夫々のアダプタの傾斜角に応じた勾配を成して連結されることになる。
【００１６】
上記のように複数連結された商品表示器が互いに勾配を成して連結されることにより、例えば商品棚の低い位置に表示された連結状の商品表示器においては、下方に位置する商品表示器ほど視覚的に見え難くなるが、上記のように下方に位置する商品表示が勾配を有することによって視認性を向上することが可能となる。
【００１７】
また、上記のように商品表示器を２連、３連又はそれ以上に連結することができることにより、それぞれの商品表示器における表示スペースを広くとることができ、さらに連結すべき商品表示器とアダプタとの互いの連結面に夫々同様の対を成す係止構造が形成されたことによって、夫々のアダプタと夫々の商品表示器との互換性が可能となる。また、各商品表示器を容易に交換し得ることによって、多種類の商品情報を表示することが可能になり、さらには商品情報の配列を多様に変更することによって商品情報の視覚的なアピール性を向上することができる。
【００１８】
さらに、本発明においては、アダプタを使用せずに商品表示器同士を直接連結することによって複数の商品表示器を直状に掲示することを可能とし、アダプタを使用する連結方法とアダプタを使用しない連結方法との組合せによって多様な連結表示体を得ることができる。
【発明を実施するための最良の形態】
【００１９】
以下、本発明の実施例について図面を参照しながら説明する。
【実施例１】
【００２０】
図１に示す連結表示具１は、上下に配列した２個の商品表示器２ａ、２ｂをアダプタ３を介して連結したものであり、上方の商品表示器２ａは商品名（図１において「完熟トマト」と云う表示）を示す表示窓４と、原産地（図１において「愛知」という表示）を示す表示窓５と、補足情報（図１において「無農薬」という表示）を示す表示窓６とが設けられている。
【００２１】
これらの表示窓４、５、６のうち、商品名を示す表示窓４は商品名を印刷したカード４ａを表示窓４の周囲に設けた係止辺４ｂに係止することによって表示するようにしてある。また、原産地を示す表示窓５はその後部に設けられた不図示の巻取装置に巻回された長尺のテープ５ａに多数の原産地を印刷してあり、側方に突出させた抓み１０を回動することによって所望の原産地を表示窓５に表示するようにしてある。さらに、補足情報を示す表示窓６は三方に係止辺６ｂが設けられ、係止辺６ｂのない側方から必要事項を印刷したカード６ａを挿入することによって該カードを３方の係止辺６ｂで係止して表示するようにしてある。
【００２２】
また、図１に示すように、連結表示具１の下方の商品表示器２ｂは価格表示を行うもので、複数の価格表示窓７ａ、７ｂ…に内蔵したラチェット歯車（不図示）によって回転する複数個の価格表示片７が設けられ、この価格表示片７を回転することによって表記された数値を選択して所定の価格を表示するものであり、左端の表示窓７ａには単位が表示され、他の複数の表示窓７ｂ、７ｂ…には価格が表示される構造を有する。
【００２３】
図２に示す連結表示具１’は、後述する方法でアダプタ３を介さずに商品表示器２ａ、２ｂ同士を直接連結したものであり、本発明の構造によれば、アダプタ３を介さずに複数の商品表示器２ａ、２ｂ…を互いに直状に連結することも可能である。
【００２４】
図３(a)は上記の図１に示す連結表示具１のように２個の商品表示器２ａ、２ｂをアダプタ３を介して連結した側面状況を示すものであり、上方の商品表示器２ａの背後に設けられたフック８を商品棚９等の柵等に上方から掛止した状態にすると、上方の商品表示器２ａに対して下方の商品表示器２ｂが勾配を成した状態となる。
【００２５】
これに対して、図３(b)は上記の図２に示す連結表示具１’のように２個の商品表示器２ａ、２ｂを後述する方法でアダプタ３を介さずに連結した側面状況を示すものであり、上方の商品表示器２ａの背後に設けられたフック８を商品棚９等の垂直柵等に上方から掛止した状態にすると、上方の商品表示器２ａの直状性に倣って下方の商品表示器２ｂも直状に表示され、下方の商品表示器２ｂに勾配が生じない。
【００２６】
以下、上記の連結表示具における係止構造について説明する。この係止構造とは、一方の連結面を図４(a)に示す上方の商品表示器２ａの下端面１２として、この下端面１２に係止穴１４、１４’を形成すると共に、他方の連結面を図４(b)に示すアダプタ３の上端面３ａ（図５(ｂ)参照）として、この上端面３ａに上記の係止穴１４、１４’に係止される係止突起１５、１５’を形成するというように、対向する夫々の連結面に一対の係止構造である係止穴１４と係止突起１５或いは係止穴１４’と係止突起１５’とを形成し、これらが互いに係止されることによって両者の連結面が結合される構造を云うものである。
【００２７】
なお、本発明の連結表示具における係止構造において、いずれの連結面に係止穴１４、１４’を設け、いずれの連結面に係止突起１５、１５’を設けるかは設計上の他の要因によって決定すべきもので、上方の商品表示器２ａの下端面１２に係止穴１４、１４’を形成し、アダプタの上端面３ａに係止突起１５、１５’を形成した場合、その逆に、上方の商品表示器２ａの下端面１２に係止突起１５、１５’を形成し、アダプタの上端面３ａに係止穴１４、１４’を形成するようにしてもよい。
【００２８】
ここで、図４(a)、(b)に示すように、左方の係止穴１４は拡径部１４ａと縮径部１４ｂとを連続形成して成る一方、左方の係止突起（２点鎖線で示す）１５は脚部１５ｂで支持された拡径頭部１５ａを有し、該拡径頭部１５ａは係止穴１４の拡径部１４ａを挿通するが縮径部１４ｂの方向にスライドして該縮径部１４ｂで係止される外径を有する。
【００２９】
さらに、図４(a)の右方の係止穴１４’は拡径部１４ａと縮径部１４ｂとを連続形成して成るが、側部に弾性を有する突起部１４ｃが形成されている。この突起部１４ｃは係止穴１４’の縮径部１４ｂの側部に形成され、この突起部１４ｃを先端に有する切込片１４ｄが形成されることによって該切込片１４ｄが弾性を有し、図４(b)の係止突起１５’を係止穴１４’に係止したときのストッパとして機能する。このように突起部１４ｃと切込片１４ｄが形成された係止穴１４’は拡径部１４ａの片側が拡径されていない形状とされ、これに対応して係止突起１５’の拡径頭部１５ａと脚部１５ｂとは側端をそろえた形状に形成されている。
【００３０】
上記の構造により、図４(a)、(b)において２点鎖線で示すように係止突起１５、１５’の拡径頭部１５ａを係止穴１４、１４’の拡径部１４ａに挿通した後、横方向にスライドして係止突起１５、１５’の拡径頭部１５ａを係止穴１４、１４’の縮径部１４ｂで係止することによって両者は結合される。
【００３１】
一方、アダプタ３は、図５(b)に示すように、上方の商品表示器２ａ（図５(a)参照）と同様の長さを有し、図５(c)に示すように、アダプタ３の側面形状は薄厚であって、上端面３ａと下端面３ｂとが互いに傾斜角αを有する。このアダプタ３の傾斜角αによって上下端面３ａ、３ｂに連結された上下の商品表示器２ａ、２ｂが互いに勾配を有することとなる（図１参照）。従って、アダプタ３の傾斜角が異なる多種類のアダプタ３を用意しておけば、アダプタ３の交換によって連結された商品表示器２ａ、２ｂ…の互いの勾配角を変えることが可能となり、設置箇所によって異なる視認性の向上に有益となる。
【００３２】
また、図５(b)、(d)に示すように、アダプタ３の上端面３ａには２個の係止突起１５、１５’が形成されている。これらの係止突起１５、１５’の離間幅は上方の商品表示器２ａの下端面１２に形成された２個の係止穴１４、１４’の離間幅と同様である。さらに、図５(ｅ)に示すように、アダプタ３の下端面３ｂには上方の商品表示器２ａの下端面１２に形成された２個の係止穴１４、１４’と同形状の係止穴１４、１４’が同様の離間幅を有して形成されている。
【００３３】
さらに、図５(e)に示すように、下方に設けられる商品表示器２ｂの上端面１３にはアダプタ３の下端面３ｂに形成された２個の係止穴１４、１４’に対応する係止突起１５、１５’が形成されている。この係止突起１５、１５’はアダプタ３の上端面に形成された係止突起１５、１５’と同様の離間幅を有して同様の形状で形成されたものである。
【００３４】
なお、図５(b)、(e)に示すように、アダプタ３の側部に沿って突出片２０が形成されている。この突出片２０は、図３(a)に示すように、下方の商品表示器２bの後部に内蔵されたラチェット等の装置２１を上部から保護するためのものである。
【００３５】
本実施例においては、上記のように夫々対向する連結面において、一対を成す係止穴１４、１４’と係止突起１５、１５’との組合せを、夫々の連結面に２ヶ所ずつ等間隔で形成することによって商品表示器の交換性を図ると共に、夫々の連結状態が回転方向にずれない構成としてある。
【００３６】
その具体例として、図６に示すように、上方の商品表示器２ａの下端面１２に係止穴１４、１４’を所定の離間幅で形成し、アダプタ３の上端面３ａに係止突起１５、１５’を同様の離間幅で形成し、さらにアダプタ３の下端面３ｂに係止穴１４を同様の離間幅で形成することによって、下方の異種類の商品表示器２ｂ、２ｂ’の各上端面１３に同様の離間幅で形成された係止突起１５、１５’を互いに係止することによって２連の連結表示具を構成するようにしている。なお、下方の商品表示器２ｂ、２ｂ’のうち、商品表示器２ｂは図１等に示すものと同様であって回転式の価格表示片７を備えるものであり、商品表示器２ｂ’は液晶表示面１９を有するものである。
【００３７】
上記の構成において、連結すべき上下の商品表示器２ａ、２ｂとアダプタ３との互いの連結面１２、１３、３ａ、３ｂに形成された係止穴１４、１４’と係止突起１５、１５’とは、夫々同様の離間幅を有して形成され、夫々に共通の係止構造を有する係止穴１４、１４’と係止突起１５、１５’とによって形成されているため、図６に示すように、同一のアダプタ３の下端面３ｂに形成された係止穴１４、１４’に対して異なるタイプの商品表示器２ｂ、２ｂ’を交換可能に連結することが可能となる。
【００３８】
さらに、本発明の連結表示具において、図７と図８には、商品表示器２ａ、２ｂ、２ｃが上下方向に３連を成して連結された構成を示してある。図7に示す連結表示具は、上下３個の商品表示器２ａ、２ｂ、２ｃの夫々の間にアダプタ３、３を介して連結したもので、1個のアダプタ３を介して連結した場合よりも多様に変化した勾配が生じる。
【００３９】
また、図8に示すように、上下2個の商品表示器２ａ、２ｂの間にアダプタ３を介し、下方の商品表示器２ｂのさらにその下にアダプタ３を介さずに別の商品表示器２ｃを連結するというように、3連或いはそれ以上の連結数の連結表示具を様々に得ることとができ、商店等において求められる視角効果に応じて容易に組み合わせることが可能である。
【００４０】
なお、本発明の連結表示具は、図2または図３(b)に示すように、上下2個の商品表示器２ａ、２ｂの間にアダプタ３を介さずに直接連結することも可能である。これは、図6に示す上方の商品表示器２aの下端面１２に形成された係止穴１４、１４’と下方の商品表示器２bの上端面１３に形成された係止突起１５、１５’が夫々同様の離間幅を有し、且つ上記の係止構造を有するために成されるものであり、従ってアダプタ３を介することなく上下2個の商品表示器２ａ、２ｂを直接連結することが可能となる。
【００４１】
なお、本発明においては、連結係止具の係止構造を上記のように係止穴１４と係止突起１５との組合せによって構成している。その他の係止構造としては、不図示であるが、両端に鉤部を有する凹状のレールと、このレールに嵌合する凸状のレールとを互いに挿入することによって結合するようにした構造やその他の構造によるもので構成してもよい。
【産業上の利用可能性】
【００４２】
本発明は、商店等において各種商品の名称、価格、原産地等の商品情報を多彩に表示すると共に、特に視認性の低下が懸念される低位置に掲示する場合の商品表示器において、所望の商品表示器に勾配をなして表示することにより視認性を向上するようにした連結表示具として利用することが可能となる。
【図面の簡単な説明】
【００４３】
【図１】本発明による連結表示具においてアダプタを使用した場合の斜視図である。
【図２】本発明による連結表示具においてアダプタを使用しない場合の斜視図である。
【図３】(a)は本発明による連結表示具においてアダプタを使用した場合の側面図であり、(b)はアダプタを使用しない場合の側面図である。
【図４】(a)は本発明における上方の商品表示器における下端面（連結面）を示す図であり、(b)は図４(a)のA−A矢視線断面図である。
【図５】本発明による連結表示具における連結構造を示す図であり、(a)は商品表示器の下端面を示す図であり、(b)はアダプタを前方から見た図であり、(c)はアダプタを側方から見た図であり、(d)はアダプタを上方から見た図であり、(e)はアダプタを下方から見た図である。
【図６】本発明による連結表示具においてアダプタを介して下方の商品表示器を交換可能に取り付ける場合の分解図である。
【図７】本発明による連結表示具において３連に結合された商品表示器が互いに勾配を有するようにした状況を示す斜視図である。
【図８】本発明による連結表示具において３連に結合された商品表示器のうち勾配を成す連結と直状の連結とを有する場合の斜視図である。
【図９】(a)は従来の商品表示器の平面図であり、(b)はその側面図である。
【図１０】従来の商品表示器の斜視図である。
【符号の説明】
【００４４】
１、１’…連結表示具
２ａ…上方の商品表示器
２ｂ…下方の商品表示器
３…アダプタ
３ａ…アダプタの上端面（連結面）
３ｂ…アダプタの下端面（連結面）
４、５、６…表示窓
７…価格表示片
７ａ、７ｂ…価格表示窓
８…フック
９…商品棚
１０…抓み
１２…上方の商品表示器の上端面（連結面）
１３…下方の商品表示器の上端面（連結面）
１４…係止穴
１４’…右方の係止穴
１４ａ…拡径部
１４ｂ…縮径部
１４ｃ…突起部
１４ｄ…切込片
１５…係止突起
１５ａ…拡径頭部
１５ｂ…脚部
【図１】
2005114945.tif 000003
【図２】
2005114945.tif 000004
【図３】
2005114945.tif 000005
【図４】
2005114945.tif 000006
【図５】
2005114945.tif 000007
【図６】
2005114945.tif 000008
【図７】
2005114945.tif 000009
【図８】
2005114945.tif 000010
【図９】
2005114945.tif 000011
【図１０】
2005114945.tif 000012